【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
第１色のインクを吐出するノズル列を有する第１の印字ヘッドから記録媒体に向けて打滴を行うとともに、該第１の印字ヘッドと前記記録媒体とを相対移動させることにより、同記録媒体上に第１色のインクドットによるドット列が前記相対移動方向に複数列並んで一体となった矩形状の第１色領域を印字する工程と、
前記第１色と異なる第２色のインクを吐出するノズル列を有する第２の印字ヘッドから前記記録媒体上の前記第１色領域と一部が重なり合って隣接する範囲に打滴を行うとともに、該第２の印字ヘッドと前記記録媒体とを相対移動させることにより、前記第２色のインクドットによるドット列が前記相対移動方向に複数列並び、かつ当該第２色のインクドットによるドット列の一部が前記第１色領域と重なり合って一体となった矩形状の第２色領域を印字する工程と、によって、前記第１色領域と前記第２色領域とが部分的に重なり合った混色判定用パッチを形成し、
前記第１色領域と前記第２色領域とが隣り合う方向に沿って、前記混色判定用パッチにおける前記第１色領域と前記第２色領域の重なり部分を含む複数箇所について、前記第１色及び第２色の各色の濃度を濃度計により測定し、当該濃度測定により前記隣り合う方向についての各色の濃度プロフィールを得る工程を、当該混色判定用パッチに関して前記隣り合う方向と直交する方向の複数の位置で行い、前記複数の位置に対応した複数組の２色分の濃度プロフィールを得て、各組の２色分の濃度プロフィールからそれぞれ所定の閾値となる濃度点間の距離を求め、当該距離の平均値及び標準偏差の少なくとも一方を算出し、
前記算出された平均値及び標準偏差のうち少なくとも一方に基づいて前記重なり部分における２色の混色状態を判定することを特徴とする混色判定方法。
【請求項２】
前記重なり部分における前記第１色のインクドットと前記第２色のインクドットとの吐出時間差、前記第１及び第２の印字ヘッドに対する前記記録媒体の相対搬送速度、前記記録媒体上のインクドットを前記記録媒体に定着させる定着エネルギー、及び、前記記録媒体上のインクを硬化させる硬化エネルギーのうち少なくとも一つをパラメータとして複数段階変化させて複数の混色判定用パッチを同一の記録媒体上に形成し、
当該複数の混色判定用パッチを有する混色判定プリント上の各混色判定用パッチについて、それぞれ前記濃度プロフィールに基づく前記重なり部分の混色状態の判定を行うことを特徴とする請求項１記載の混色判定方法。
【請求項３】
前記距離の平均値、標準偏差、前記吐出時間差、前記記録媒体上に記録するものがテキストか画像かあるいはその両方かを示す記録モード、のそれぞれに応じて混色の判定に用いる評価値を算出するための要素に対して重み付けして前記評価値を算出して前記混色状態の判定を行うことを特徴とする請求項２記載の混色判定方法。
【請求項４】
請求項２又は３記載の混色判定方法による混色判定結果に基づいて、前記吐出時間差、前記相対搬送速度、前記定着エネルギー、及び、前記硬化エネルギーのうち少なくとも一つを制御するための制御パラメータを設定し、
その設定に基づき前記記録媒体上に画像記録を行うことを特徴とする画像記録方法。
【請求項５】
請求項４記載の画像記録方法であって、さらに、前記インクの種類、前記記録媒体の種類、及び、前記記録媒体上に記録するものがテキストか画像かあるいはその両方かを示す記録モード、に応じて前記制御パラメータを設定するようにしたことを特徴とする画像記録方法。
【請求項６】
第１色のインクを吐出するノズル列を有する第１の印字ヘッドから記録媒体に向けて打滴を行うとともに、該第１の印字ヘッドと前記記録媒体とを相対移動させることにより、同記録媒体上に第１色のインクドットによるドット列が前記相対移動方向に複数列並んで一体となった矩形状の第１色領域を印字する制御を行う一方、
前記第１色と異なる第２色のインクを吐出するノズル列を有する第２の印字ヘッドから前記記録媒体上の前記第１色領域と一部が重なり合って隣接する範囲に打滴を行うとともに、該第２の印字ヘッドと前記記録媒体とを相対移動させることにより、前記第２色のインクドットによるドット列が前記相対移動方向に複数列並び、かつ当該第２色のインクドットによるドット列の一部が前記第１色領域と重なり合って一体となった矩形状の第２色領域を印字する制御を行うことによって、前記第１色領域と前記第２色領域とが部分的に重なり合った混色判定用パッチを形成する混色判定プリント出力手段と、
前記第１色領域と前記第２色領域とが隣り合う方向に沿って、前記混色判定用パッチにおける前記第１色領域と前記第２色領域の重なり部分を含む複数箇所について、前記第１色及び第２色の各色の濃度を測定し、当該濃度測定により前記隣り合う方向についての各色の濃度プロフィールを得る濃度測定手段と、
当該混色判定用パッチに関して前記隣り合う方向と直交する方向の複数の位置で前記濃度測定を行い、前記複数の位置に対応した複数組の２色分の濃度プロフィールを得て、各組の２色分の濃度プロフィールからそれぞれ所定の閾値となる濃度点間の距離を求め、当該距離の平均値及び標準偏差の少なくとも一方を算出し、前記算出された平均値及び標準偏差のうち少なくとも一方に基づいて前記重なり部分における２色の混色状態を判定する混色判定手段と、
を備えることを特徴とする混色判定装置。
【請求項７】
前記混色判定プリント出力手段は、前記重なり部分における前記第１色のインクドットと前記第２色のインクドットとの吐出時間差、前記第１及び第２の印字ヘッドに対する前記記録媒体の相対搬送速度、前記記録媒体上のインクドットを前記記録媒体に定着させる定着エネルギー、及び、前記記録媒体上のインクを硬化させる硬化エネルギーのうち少なくとも一つをパラメータとして複数段階変化させて複数の混色判定用パッチを同一の記録媒体上に形成し、当該複数の混色判定用パッチを有する混色判定プリントを出力することを特徴とする請求項６記載の混色判定装置。
【請求項８】
前記混色判定手段は、前記距離の平均値、標準偏差、前記吐出時間差、前記記録媒体上に記録するものがテキストか画像かあるいはその両方かを示す記録モード、のそれぞれに応じて混色の判定に用いる評価値を算出するための要素に対して重み付けして前記評価値を算出して前記混色状態の判定を行うことを特徴とする請求項７記載の混色判定装置。
【請求項９】
第１色のインクを吐出するノズル列を有する第１の印字ヘッドと、前記第１色と異なる第２色のインクを吐出するノズル列を有する第２の印字ヘッドと、前記第１及び第２の印字ヘッドに対して前記記録媒体を相対的に移動させる手段と、を備え、前記記録媒体上にドットを吐出して画像記録を行う画像記録装置であって、
請求項６乃至８の何れか１項に記載の混色判定装置を有するとともに、
前記第１及び第２の印字ヘッドによるドットの吐出時間差を制御する吐出時間差制御手段と、
前記記録媒体上に打滴されたドットを定着させる定着手段と、
前記定着手段の定着エネルギーを制御する定着制御手段と、
前記記録媒体上に打滴されたドットを硬化させる硬化手段と、
前記硬化手段の硬化エネルギーを制御する硬化制御手段と、
前記混色判定装置による混色判定結果に基づいて、前記吐出時間差制御手段、前記定着制御手段及び前記硬化制御手段のうち少なくとも一つを制御する制御パラメータを設定するパラメータ設定手段と、
を備え、前記パラメータ設定手段で設定された制御パラメータによって画像記録を行うことを特徴とする画像記録装置。
【請求項１０】
第１色のインクを吐出するノズル列を有する第１の印字ヘッドと、
前記第１色と異なる第２色のインクを吐出するノズル列を有する第２の印字ヘッドと、 前記第１及び第２の印字ヘッドに対して前記記録媒体を相対的に移動させる手段と、
前記第１の印字ヘッドから記録媒体に向けて打滴を行うとともに、該第１の印字ヘッドと前記記録媒体とを相対移動させることにより、同記録媒体上に第１色のインクドットによるドット列が前記相対移動方向に複数列並んで一体となった矩形状の第１色領域を印字する制御を行う一方、前記第２の印字ヘッドから前記記録媒体上の前記第１色領域と一部が重なり合って隣接する範囲に打滴を行うとともに、該第２の印字ヘッドと前記記録媒体とを相対移動させることにより、前記第２色のインクドットによるドット列が前記相対移動方向に複数列並び、かつ当該第２色のインクドットによるドット列の一部が前記第１色領域と重なり合って一体となった矩形状の第２色領域を印字する制御を行うことによって、前記第１色領域と前記第２色領域とが部分的に重なり合った混色判定用パッチを形成する混色判定プリント出力手段と、
記録データを前記記録媒体に記録する際の前記第１及び第２の印字ヘッドによるドットの吐出時間差を制御する吐出時間差制御手段と、
前記記録媒体上に打滴されたドットを定着させる定着手段と、
前記定着手段の定着エネルギーを制御する定着制御手段と、
前記記録媒体上に打滴されたドットを硬化させる硬化手段と、
前記硬化手段の硬化エネルギーを制御する硬化制御手段と、
前記混色判定用パッチに基づき、２色のドットの混色の判定結果が入力される混色判定結果入力手段と、
前記混色判定結果入力手段に入力された混色の判定結果に基づいて、前記吐出時間差制御手段、前記定着制御手段及び前記硬化制御手段のうち少なくとも一つを制御する制御パラメータを設定するパラメータ設定手段と、
を備え、前記パラメータ設定手段の設定された制御パラメータによって画像記録を行うことを特徴とする画像記録装置。
【請求項１１】
請求項９または１０に記載の画像記録装置であって、さらに、インクの種類を検出するインク種検出手段と、前記記録媒体の種類を検出する記録媒体種検出手段と、記録データから記録するものがテキストか画像かあるいはその両方かを示す記録モードを検出する記録モード検出手段を備え、前記インク種、前記記録媒体種及び記録モードに応じて前記制御パラメータを設定記憶する手段を有することを特徴とする画像記録装置。
【手続補正２】
【補正対象書類名】明細書
【補正対象項目名】００１３
【補正方法】変更
【補正の内容】
【００１３】
前記目的を達成するために、請求項１に記載の発明は、第１色のインクを吐出するノズル列を有する第１の印字ヘッドから記録媒体に向けて打滴を行うとともに、該第１の印字ヘッドと前記記録媒体とを相対移動させることにより、同記録媒体上に第１色のインクドットによるドット列が前記相対移動方向に複数列並んで一体となった矩形状の第１色領域を印字する工程と、前記第１色と異なる第２色のインクを吐出するノズル列を有する第２の印字ヘッドから前記記録媒体上の前記第１色領域と一部が重なり合って隣接する範囲に打滴を行うとともに、該第２の印字ヘッドと前記記録媒体とを相対移動させることにより、前記第２色のインクドットによるドット列が前記相対移動方向に複数列並び、かつ当該第２色のインクドットによるドット列の一部が前記第１色領域と重なり合って一体となった矩形状の第２色領域を印字する工程と、によって、前記第１色領域と前記第２色領域とが部分的に重なり合った混色判定用パッチを形成し、前記第１色領域と前記第２色領域とが隣り合う方向に沿って、前記混色判定用パッチにおける前記第１色領域と前記第２色領域の重なり部分を含む複数箇所について、前記第１色及び第２色の各色の濃度を濃度計により測定し、当該濃度測定により前記隣り合う方向についての各色の濃度プロフィールを得る工程を、当該混色判定用パッチに関して前記隣り合う方向と直交する方向の複数の位置で行い、前記複数の位置に対応した複数組の２色分の濃度プロフィールを得て、各組の２色分の濃度プロフィールからそれぞれ所定の閾値となる濃度点間の距離を求め、当該距離の平均値及び標準偏差の少なくとも一方を算出し、前記算出された平均値及び標準偏差のうち少なくとも一方に基づいて前記重なり部分における２色の混色状態を判定することを特徴とする混色判定方法を提供する。
【手続補正３】
【補正対象書類名】明細書
【補正対象項目名】００１５
【補正方法】変更
【補正の内容】
【００１５】
また、請求項２に記載の発明は、請求項１記載の混色判定方法において、前記重なり部分における前記第１色のインクドットと前記第２色のインクドットとの吐出時間差、前記第１及び第２の印字ヘッドに対する前記記録媒体の相対搬送速度、前記記録媒体上のインクドットを前記記録媒体に定着させる定着エネルギー、及び、前記記録媒体上のインクを硬化させる硬化エネルギーのうち少なくとも一つをパラメータとして複数段階変化させて複数の混色判定用パッチを同一の記録媒体上に形成し、当該複数の混色判定用パッチを有する混色判定プリント上の各混色判定用パッチについて、それぞれ前記濃度プロフィールに基づく前記重なり部分の混色状態の判定を行うことを特徴とする混色判定方法を提供する。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
また、同様に前記目的を達成するために、請求項３に記載の発明は、請求項２記載の混色判定方法において、前記距離の平均値、標準偏差、前記吐出時間差、前記記録媒体上に記録するものがテキストか画像かあるいはその両方かを示す記録モード、のそれぞれに応じて混色の判定に用いる評価値を算出するための要素に対して重み付けして前記評価値を算出して前記混色状態の判定を行うことを特徴とする混色判定方法を提供する。
【手続補正７】
【補正対象書類名】明細書
【補正対象項目名】００２１
【補正方法】変更
【補正の内容】
【００２１】
また、同様に前記目的を達成するために、請求項４に記載の発明は、請求項２又は３記載の混色判定方法による混色判定結果に基づいて、前記吐出時間差、前記相対搬送速度、前記定着エネルギー、及び、前記硬化エネルギーのうち少なくとも一つを制御するための制御パラメータを設定し、その設定に基づき前記記録媒体上に画像記録を行うことを特徴とする画像記録方法を提供する。
【手続補正８】
【補正対象書類名】明細書
【補正対象項目名】００２２
【補正方法】変更
【補正の内容】
【００２２】
また、請求項５に記載の発明は、請求項４記載の画像記録方法であって、さらに、前記インクの種類、前記記録媒体の種類、及び、前記記録媒体上に記録するものがテキストか画像かあるいはその両方かを示す記録モード、に応じて前記制御パラメータを設定するようにしたことを特徴とする画像記録方法を提供する。
【手続補正９】
【補正対象書類名】明細書
【補正対象項目名】００２４
【補正方法】変更
【補正の内容】
【００２４】
また、同様に前記目的を達成するために、請求項６に記載の発明は、第１色のインクを吐出するノズル列を有する第１の印字ヘッドから記録媒体に向けて打滴を行うとともに、該第１の印字ヘッドと前記記録媒体とを相対移動させることにより、同記録媒体上に第１色のインクドットによるドット列が前記相対移動方向に複数列並んで一体となった矩形状の第１色領域を印字する制御を行う一方、前記第１色と異なる第２色のインクを吐出するノズル列を有する第２の印字ヘッドから前記記録媒体上の前記第１色領域と一部が重なり合って隣接する範囲に打滴を行うとともに、該第２の印字ヘッドと前記記録媒体とを相対移動させることにより、前記第２色のインクドットによるドット列が前記相対移動方向に複数列並び、かつ当該第２色のインクドットによるドット列の一部が前記第１色領域と重なり合って一体となった矩形状の第２色領域を印字する制御を行うことによって、前記第１色領域と前記第２色領域とが部分的に重なり合った混色判定用パッチを形成する混色判定プリント出力手段と、前記第１色領域と前記第２色領域とが隣り合う方向に沿って、前記混色判定用パッチにおける前記第１色領域と前記第２色領域の重なり部分を含む複数箇所について、前記第１色及び第２色の各色の濃度を測定し、当該濃度測定により前記隣り合う方向についての各色の濃度プロフィールを得る濃度測定手段と、当該混色判定用パッチに関して前記隣り合う方向と直交する方向の複数の位置で前記濃度測定を行い、前記複数の位置に対応した複数組の２色分の濃度プロフィールを得て、各組の２色分の濃度プロフィールからそれぞれ所定の閾値となる濃度点間の距離を求め、当該距離の平均値及び標準偏差の少なくとも一方を算出し、前記算出された平均値及び標準偏差のうち少なくとも一方に基づいて前記重なり部分における２色の混色状態を判定する混色判定手段と、を備えることを特徴とする混色判定装置を提供する。
【手続補正１０】
【補正対象書類名】明細書
【補正対象項目名】００２５
【補正方法】変更
【補正の内容】
【００２５】
請求項７に記載の発明は、請求項６記載の混色判定装置において、前記混色判定プリント出力手段は、前記重なり部分における前記第１色のインクドットと前記第２色のインクドットとの吐出時間差、前記第１及び第２の印字ヘッドに対する前記記録媒体の相対搬送速度、前記記録媒体上のインクドットを前記記録媒体に定着させる定着エネルギー、及び、前記記録媒体上のインクを硬化させる硬化エネルギーのうち少なくとも一つをパラメータとして複数段階変化させて複数の混色判定用パッチを同一の記録媒体上に形成し、当該複数の混色判定用パッチを有する混色判定プリントを出力することを特徴とする混色判定装置を提供する。
【手続補正１１】
【補正対象書類名】明細書
【補正対象項目名】００２６
【補正方法】変更
【補正の内容】
【００２６】
また、請求項８に記載の発明は、請求項７記載の混色判定装置において、前記混色判定手段は、前記距離の平均値、標準偏差、前記吐出時間差、前記記録媒体上に記録するものがテキストか画像かあるいはその両方かを示す記録モード、のそれぞれに応じて混色の判定に用いる評価値を算出するための要素に対して重み付けして前記評価値を算出して前記混色状態の判定を行うことを特徴とする混色判定装置を提供する。
【手続補正１２】
【補正対象書類名】明細書
【補正対象項目名】００２７
【補正方法】変更
【補正の内容】
【００２７】
また、同様に前記目的を達成するために、請求項９に記載の発明は、第１色のインクを吐出するノズル列を有する第１の印字ヘッドと、前記第１色と異なる第２色のインクを吐出するノズル列を有する第２の印字ヘッドと、前記第１及び第２の印字ヘッドに対して前記記録媒体を相対的に移動させる手段と、を備え、前記記録媒体上にドットを吐出して画像記録を行う画像記録装置であって、請求項６乃至８の何れか１項に記載の混色判定装置を有するとともに、前記第１及び第２の印字ヘッドによるドットの吐出時間差を制御する吐出時間差制御手段と、前記記録媒体上に打滴されたドットを定着させる定着手段と、前記定着手段の定着エネルギーを制御する定着制御手段と、前記記録媒体上に打滴されたドットを硬化させる硬化手段と、前記硬化手段の硬化エネルギーを制御する硬化制御手段と、前記混色判定装置による混色判定結果に基づいて、前記吐出時間差制御手段、前記定着制御手段及び前記硬化制御手段のうち少なくとも一つを制御する制御パラメータを設定するパラメータ設定手段と、を備え、前記パラメータ設定手段で設定された制御パラメータによって画像記録を行うことを特徴とする画像記録装置を提供する。
【手続補正１３】
【補正対象書類名】明細書
【補正対象項目名】００２９
【補正方法】変更
【補正の内容】
【００２９】
また、同様に前記目的を達成するために、請求項１０に記載の発明は、第１色のインクを吐出するノズル列を有する第１の印字ヘッドと、前記第１色と異なる第２色のインクを吐出するノズル列を有する第２の印字ヘッドと、 前記第１及び第２の印字ヘッドに対して前記記録媒体を相対的に移動させる手段と、前記第１の印字ヘッドから記録媒体に向けて打滴を行うとともに、該第１の印字ヘッドと前記記録媒体とを相対移動させることにより、同記録媒体上に第１色のインクドットによるドット列が前記相対移動方向に複数列並んで一体となった矩形状の第１色領域を印字する制御を行う一方、前記第２の印字ヘッドから前記記録媒体上の前記第１色領域と一部が重なり合って隣接する範囲に打滴を行うとともに、該第２の印字ヘッドと前記記録媒体とを相対移動させることにより、前記第２色のインクドットによるドット列が前記相対移動方向に複数列並び、かつ当該第２色のインクドットによるドット列の一部が前記第１色領域と重なり合って一体となった矩形状の第２色領域を印字する制御を行うことによって、前記第１色領域と前記第２色領域とが部分的に重なり合った混色判定用パッチを形成する混色判定プリント出力手段と、記録データを前記記録媒体に記録する際の前記第１及び第２の印字ヘッドによるドットの吐出時間差を制御する吐出時間差制御手段と、前記記録媒体上に打滴されたドットを定着させる定着手段と、前記定着手段の定着エネルギーを制御する定着制御手段と、前記記録媒体上に打滴されたドットを硬化させる硬化手段と、前記硬化手段の硬化エネルギーを制御する硬化制御手段と、前記混色判定用パッチに基づき、２色のドットの混色の判定結果が入力される混色判定結果入力手段と、前記混色判定結果入力手段に入力された混色の判定結果に基づいて、前記吐出時間差制御手段、前記定着制御手段及び前記硬化制御手段のうち少なくとも一つを制御する制御パラメータを設定するパラメータ設定手段と、を備え、前記パラメータ設定手段の設定された制御パラメータによって画像記録を行うことを特徴とする画像記録装置を提供する。
【手続補正１４】
【補正対象書類名】明細書
【補正対象項目名】００３１
【補正方法】変更
【補正の内容】
【００３１】
さらに、請求項１１に記載の発明は、請求項９または１０に記載の画像記録装置であって、さらに、インクの種類を検出するインク種検出手段と、前記記録媒体の種類を検出する記録媒体種検出手段と、記録データから記録するものがテキストか画像かあるいはその両方かを示す記録モードを検出する記録モード検出手段を備え、前記インク種、前記記録媒体種及び記録モードに応じて前記制御パラメータを設定記憶する手段を有することを特徴とする画像記録装置を提供する。